(57)【要約】      （修正有）【課題】着脱が容易な緊締装置の提供。【解決手段】外環１の内空間の対向する両側にそれぞれクラッチディスクと、複数のノッチを具えたロックディスクが設けられ、該クラッチディスクとロックディスクの間に、相互に重畳する第１及び第２パッキング５、６があり、該第１及び第２パッキングの外周に複数の第１及び第２凸部５１、６１が分布し、一部の隣り合う第１及び第２凸部の間にスチールボール３が設けられ、このほか一部の隣り合う第１及び第２凸部の間に圧縮バネが設置される。該外環を第１方向或いは第２方向に回すことで、ロックディスクによる緊締或いは緊締解除が達成される。【選択図】図１
0003139935.tif 000002
【実用新案登録請求の範囲】
【請求項１】
着脱が容易な緊締装置において、
周壁に囲まれた範囲内に内空間が形成された外環（１）と、
該外環（１）の内空間の第１側に設けられたクラッチディスク（４）と、
該外環（１）の内空間中に設けられ、並びに該クラッチディスク（４）上に重ね置かれ、外円周に複数の第２凸部（６１）が設けられた、第２パッキング（６）と、
該外環（１）の内空間中に設けられ、並びに該第２パッキング（６）上に重ね置かれ、外円周に複数の第１凸部（５１）が設けられた、第１パッキング（５）と、
該外環（１）の内空間に設けられ、且つ各々が、隣り合う該第１凸部（５１）と第２凸部（６１）の間に位置する複数のスチールボール（３）と、
該外環（１）の内空間に設けられ、各々が、別の隣り合う該第１凸部（５１）と第２凸部（６１）の間に位置する複数の圧縮バネ（７）と、
ロックディスク（２）であって、該外環（１）の内空間の第２側に設けられ、中央に回転軸（２０）を具え、該回転軸（２０）が該第１パッキング（５）、該第２パッキング（６）及び該クラッチディスク（４）の中心を通った後に該第１パッキング（５）と結合され、該スチールボール（３）が該クラッチディスク（４）、該ロックディスク（２）、該外環（１）内周及び該第１パッキング（５）、該第２パッキング（６）で囲まれた空間内に位置し、上述のロックディスク（２）が更に複数のノッチ（２４）を具え、各ノッチ（２４）がそれぞれ一つのスチールボール（３）の嵌入に供される、上記ロックディスク（２）と、
を包含したことを特徴とする、着脱が容易な緊締装置。
【請求項２】
請求項１記載の着脱が容易な緊締装置において、該第１パッキング（５）の中央に貫通孔があり、該貫通孔の内周に平面が設けられ、且つロックディスク（２）の回転軸（２０）外周に、該平面と組み合わされて位置決めを完成する別の平面が設けられたことを特徴とする、着脱が容易な緊締装置。
【請求項３】
請求項１記載の着脱が容易な緊締装置において、該ロックディスク（２）の中央にネジ孔が設けられ、該ネジ孔にスクリューが螺合されることを特徴とする、着脱が容易な緊締装置。
【請求項４】
請求項１記載の着脱が容易な緊締装置において、該クラッチディスク（４）の外周と該外環（１）の内周の間にＯリング（４１）が設けられたことを特徴とする、着脱が容易な緊締装置。
【請求項５】
請求項１記載の着脱が容易な緊締装置において、該ロックディスク（２）の外周と該外環（１）の内周の間にＯリング（２１）が設けられたことを特徴とする、着脱が容易な緊締装置。
【考案の詳細な説明】
【技術分野】
【０００１】
本考案は一種の高トルク出力で、操作が楽で便利なナットに関する。
【背景技術】
【０００２】
周知の機械装置、特に加工機は、ボルトナット等の部品或いは装置によってその加工部の回転部品、例えばグラインダーの研磨板等を固定している。しかし、このような部品或いは装置は、ネジ回し、スパナ或いはその他の特定の工具を使用しなければ締め外しが行なえない。このほか、このような伝統的な緊締装置の操作に力を費やすだけでなく、着脱ぶ別に工具を準備しなければならず、作業員にとって便利ではない。
【考案の開示】
【考案が解決しようとする課題】
【０００３】
本考案の主要な目的は、加工機に応用される周知の緊締装置中のナットの締め外し時にいずれも工具による操作が必要であり、且つ力と手間がかかり不便である問題を解決することにある。
【課題を解決するための手段】
【０００４】
本考案の上記課題を解決するための技術手段は以下のとおりである。本考案によると、外環の内空間の対向する両側にそれぞれクラッチディスクと、複数のノッチを具えたロックディスクが設けられ、該クラッチディスクとロックディスクの間に、相互に重畳する第１パッキング及び第２パッキングがあり、該第１パッキング及び第２パッキングの外周に複数の第１凸部及び第２凸部が分布し、一部の隣り合う該第１凸部及び第２凸部の間にスチールボールが設けられ、このほか一部の隣り合う該第１凸部及び第２凸部の間に圧縮バネが設置される。第１方向に該外環が回される時、該外環内側が該スチールボールを駆動し回転させ、更に該スチールボールが該第１パッキングを駆動し回転させ、該外環と該ロックディスクを同方向に回転させ、該ロックディスクを第１方向に向けて緊締させる。該外環が第２方向に回される時、該スチールボールは該外環内側に駆動されて移動し、このとき、該第２パッキングも同時に第２方向に回転して該圧縮バネを圧縮し、該スチールボールが該ロックディスクのノッチに移動すると、該スチールボールが該ノッチに嵌まり、該クラッチディスクが該スチールボールによる支持を失って研磨板との間に間隙を発生し、ロックディスクとボルトが外れ、このとき第１パッキングが圧縮バネの釈放により第２方向に回転してもとの位置に戻り、並びに第１パッキング内の二つの平面の、該ロックディスク外側の二つの平面の組合せにより、ロックディスクが瞬間的に第２方向に回転しゆるむ。
【０００５】
本考案は上述のロックディスクの中央にネジ孔が設けられ、該ネジ孔により該緊締装置が工具上のスクリューに組み合わされる。
【０００６】
本考案は該クラッチディスクの外周と該外環の内周の間、及びロックディスクの外周と外環の内周の間に、それぞれＯリングが設けられ、該Ｏリングが該クラッチディスクと外環の間、及びロックディスクと外環の間に提供するダンパ作用により過度のゆるみが防止される。
【考案の効果】
【０００７】
本考案の提供する緊締装置の主要な特徴は、遊星歯車系の伝動方式を利用して、外環、複数のスチールボール、ロックディスクを包含する装置であって、そのうち、外環が遊星歯車系の最外周の内歯車をシミュレートし、スチールボールが遊星歯車をシミュレートし、ロックディスクが太陽歯車をシミュレートし、第１方向に外環が回される時、外環によりスチールボールが駆動されて回転し、更にスチールボールが間接的にロックディスクを駆動して同方向に回転させ、ロックディスクを第１方向に向けて緊締する。外環が第２方向に回される時、ロックディスクが緊締状態を速やかに解除する。
【考案を実施するための最良の形態】
【０００８】
図１、２及び図４に示されるように、本考案が提供する着脱が容易な緊締装置は、その好ましい実施例において、外環１、クラッチディスク４、ロックディスク２、複数のスチールボール３、第１パッキング５、第２パッキング６、及び複数の圧縮バネ７を包含する。そのうち、該外環１は円環形体であり、その周壁に囲まれた範囲内に内空間が形成されている。外環１の外周表面に複数の凸棒が設置され、手指による握持回転に便利である。該外環１の内空間の対向する両側にそれぞれ、上述のクラッチディスク４及びロックディスク２を組み合わせるための肩部が設けられている。
【０００９】
上述のクラッチディスク４は円形ディスク状体とされ、その一面に研磨板８と相互に噛み合う噛合面があり、且つその中央に中心孔がある。該クラッチディスク４の外周にＯリング４１が設けられ、並びに該クラッチディスク４は該外環１の内空間の第１側に設けられ、Ｏリング４１がクラッチディスク４の外周と外環１の内周の間に介装されて、Ｏリング４１が提供するクラッチディスク４と外環１の間のダンパ作用を利用し、クラッチディスク４と外環１の組合せ界面間の過度のゆるみが防止される。
【００１０】
上述の第２パッキング６は該外環１の内空間中に設けられ、並びにクラッチディスク４上に重ね置かれ、該第２パッキング６の外周円周に等角度に複数の、上方に突出する第２凸部６１が設けられ、該第２パッキング６の中央に貫通孔が設けられている。
【００１１】
上述の第１パッキング５は該外環１の内空間中に設けられ、並びに該第２パッキング６に重ね置かれ、該第１パッキング５の外周円周に等角度に複数の、下方に突出する第１凸部５１が設けられている。上述の第１パッキング５の中央に貫通孔が設けられ、且つ該貫通孔の内周の対向する両側それぞれに平面５２が設けられている。
【００１２】
上述のスチールボール３は該外環１の内空間に設けられ、且つ各スチールボール３は隣り合う該第１凸部５１と第２凸部６１の間に位置する。
【００１３】
上述の圧縮バネ７は該外環１の内空間に設けられ、且つ各該圧縮バネ７はいずれも別の隣り合う該第１凸部５１と第２凸部６１の間に位置し、並びに該圧縮バネ７の両端はそれぞれ該第１凸部５１と第２凸部６１の背端に当接する（図４）。
【００１４】
上述のロックディスク２は中央に回転軸２０を具えたディスク体であり、該回転軸２０の外周に、該第１パッキング５の二つの平面５２に組み合わされる二つの平面（図示せず）が設けられている。該回転軸２０に隣接するディスク体の根部に、円周に分布してスチールボール３の嵌入に供される複数のノッチ２４が設けられ、該回転軸２０の中央に更にネジ孔２２が設けられ、該ネジ孔２２は工具のスクリュー９に螺合可能である。上述のロックディスク２の外周にＯリング２１が設けられ、並びに該ロックディスク２は外環１の内空間の第２側に設けられ、これによりＯリング２１がロックディスク２の外周と外環１の内周の間に介装され、Ｏリング２１が提供するロックディスク２と外環１の間のダンパ作用により、ロックディスク２と外環１の組合せ界面間の過度のゆるみが防止される。ロックディスク２が外環１に組み合わされた後、その回転軸２０が順に第１パッキング５、第２パッキング６の貫通孔、及びクラッチディスク４の中心孔に通された後、該回転軸２０の平面が該第１パッキング５の平面５２と組み合わされ、これにより該第１パッキング５が回転軸２０に対して回転不能とされ、更に、スナップリング２３が回転軸２０に係合され（図２）、こうして前述の各部品の組合せが完成し、並びにスチールボール３がクラッチディスク４、ロックディスク２、外環１内周及び第１パッキング５、第２パッキング６で包囲された空間内に配置される。
【００１５】
前述の緊締装置により、遊星歯車系に類似の機構が構成され、そのうち、外環１は遊星歯車系の最外周の内歯車をシミュレートし、スチールボール３は遊星歯車をシミュレートし、ロックディスク２は太陽歯車をシミュレートし、これにより、本考案の操作方式は以下のようである。
【００１６】
図４に示されるように、第１方向（時計周り方向）に該外環１を回す時、外環１の内側は摩擦力によりスチールボール３を回転させ、該スチールボール３は第１凸部５１を押動して第１パッキング５を駆動し、該第１パッキング５はロックディスク２の回転軸２０に結合されているため、ロックディスク２は第１パッキング５の駆動を受けて外環１と同方向に且つ同期に回転し、このとき、スチールボール３はロックディスク２のノッチ２４に嵌入せず、このためクラッチディスク４がスチールボール３の支持を受けて第１方向に研磨板８と噛み合い締めつける。
【００１７】
図５に示されるように、外環１を第２方向（逆時計周り方向）に回す時、スチールボール３は外環１の内側の摩擦力を受けて移動し、並びにスチールボール３が第２凸部６１を押動し、第２パッキング６を同時に第２方向に回転させて圧縮バネ７を圧縮し、スチールボール３がロックディスク２のノッチ２４に移動して、スチールボール３がノッチ２４に嵌入する時、クラッチディスク４はスチールボール３の支持を失い、研磨板８との間に間隙が発生し、ロックディスク２とスクリュー９が容易に分離される。図６に示されるように、このとき、第１パッキング５は圧縮バネ７の弾力釈放により速やかに第２方向に回転してもとの位置に戻り、並びに第１パッキング５内の二つの平面５２とロックディスク２外側の二つの平面の組合せにより、ロックディスク２が瞬間的に第２方向に向けて回転しゆるむ。これにより、本考案は操作時に楽で時間がかからず、操作に非常に便利である。
【図面の簡単な説明】
【００１８】
【図１】本考案の緊締装置の部分部品組合せ後の立体図である。
【図２】本考案の緊締装置の構造の側面断面図であり、スチールボールがノッチに嵌入していない状態を示す。
【図３】図２のスチールボールがノッチに嵌入した状態を示す図である。
【図４】本考案の緊締装置の外環が時計周りに回転する時の状態の平面図である。
【図５】本考案の緊締装置の外環が逆時計周りに回転する時の状態の平面図である。
【図６】本考案の緊締装置の外環が逆時計周りに回転後に、圧縮バネが釈放されて、外環がもとの位置に戻った状態を示す図である。
【符号の説明】
【００１９】
１  外環
２  ロックディスク
２０  回転軸
２１  Ｏリング
２２  ネジ孔
２３  スナップリング
２４  ノッチ
３  スチールボール
４  クラッチディスク
４１  Ｏリング
５  第１パッキング
５１  第１凸部
５２  平面
６  第２パッキング
６１  第２凸部
７  圧縮バネ
８  研磨板
９  スクリュー
【図１】
0003139935.tif 000003
【図２】
0003139935.tif 000004
【図３】
0003139935.tif 000005
【図４】
0003139935.tif 000006
【図５】
0003139935.tif 000007
【図６】
0003139935.tif 000008